(57)【要約】【課題】装飾性を有したケース付消しゴム１を得る。【解決手段】ケース４が、前方に開口部を有した透明樹脂から成るケース本体２と、消しゴム５を挟持する二つの挟持片３１と当該挟持片３１を後方で連接する連接部３２とを有する挟持体３とを備え、挟持片３１の外側面にケース本体２の内面と当接する当接縁部３１１を設けると共に当接縁部３１１の内側に装飾用凹部３１２を設け、装飾用凹部３１２に装飾用シール６ａを貼り付け、消しゴム５を挟持体３の挟持片３１で挟持した上で挟持体３をケース本体２に挿着することで、ケース本体２の外方より装飾用シール６ａを透過して視認できるようする。【選択図】図４
2013095089.tif 000002
【特許請求の範囲】
【請求項１】
消しゴムの一部をケースから露出させて使用できるようにしたケース付消しゴムであって、ケースが、前方に開口部を有した透明樹脂から成るケース本体と、消しゴムを挟持する二つの挟持片と当該挟持片を後方で連接する連接部とを有する挟持体とを備え、前記挟持片の外側面に前記ケース本体の内面と当接する当接縁部を設けると共に当該当接縁部の内側に装飾用凹部を設け、前記装飾用凹部に装飾用シールを貼り付け、前記消しゴムを前記挟持体の挟持片で挟持した上で当該挟持体を前記ケース本体に挿着することで、前記ケース本体の外方より前記装飾用シールを透過して視認できるようにしたことを特徴とするケース付消しゴム。
【請求項２】
前記挟持片の前方内面に前後方向に等間隔で並ぶ複数の突起部を設け、前記消しゴムを前記挟持片で挟持させ前記挟持体を前記ケース本体に挿着することで、前記挟持片の突起部で前記消しゴムの外面を圧接し、前記消しゴムの外面に前記突起部と鏡像形状である陥没部を形成することを特徴とした請求項１に記載のケース付消しゴム。
【請求項３】
前記挟持体の挟持片の外側面に設けた装飾用凹部の表面に微細な凹凸部を設けたことを特徴とする請求項１または２に記載のケース付消しゴム。
【発明の詳細な説明】
【技術分野】
【０００１】
本発明は、消しゴムの一部をケースから露出させて使用できるようにしたケース付消しゴムに関する。
【背景技術】
【０００２】
ケース付消しゴムは、例えば実開昭５１−７０４６号公報に記載されているように、ケースと挟持部材とで構成したものは、消しゴムがすり減ってきた際に、消しゴムを繰り出し易く、また消しゴムが小さくなっても使用し易いなど、紙製のケースで覆っただけの消しゴムに比べて利便性がある。しかしながら従来のケースおよび挟持部材の役割は、消しゴムをケース内部に保持して汚れを防止したり、持ち易くするという機能性を向上させる構造でしかなかった。
【先行技術文献】
【特許文献】
【０００３】
【特許文献１】実開昭５１−７０４６号公報
【発明の概要】
【発明が解決しようとする課題】
【０００４】
装飾性を有したケース付消しゴムを得る。
【課題を解決するための手段】
【０００５】
本発明は、
「１．消しゴムの一部をケースから露出させて使用できるようにしたケース付消しゴムであって、ケースが、前方に開口部を有した透明樹脂から成るケース本体と、消しゴムを挟持する二つの挟持片と当該挟持片を後方で連接する連接部とを有する挟持体とを備え、前記挟持片の外側面に前記ケース本体の内面と当接する当接縁部を設けると共に当該当接縁部の内側に装飾用凹部を設け、前記装飾用凹部に装飾用シールを貼り付け、前記消しゴムを前記挟持体の挟持片で挟持した上で当該挟持体を前記ケース本体に挿着することで、前記ケース本体の外方より前記装飾用シールを透過して視認できるようにしたことを特徴とするケース付消しゴム。
２．前記挟持片の前方内面に前後方向に等間隔で並ぶ複数の突起部を設け、前記消しゴムを前記挟持片で挟持させ前記挟持体を前記ケース本体に挿着することで、前記挟持片の突起部で前記消しゴムの外面を圧接し、前記消しゴムの外面に前記突起部と鏡像形状である陥没部を形成することを特徴とした１項に記載のケース付消しゴム。
３．前記挟持体の挟持片の外側面に設けた装飾用凹部の表面に微細な凹凸部を設けたことを特徴とする１項または２項に記載のケース付消しゴム。」である。
【０００６】
本発明では、ケース本体を透明樹脂で形成することが好ましく、ケース本体を不透明な材質で形成する場合には、ケース本体における挟持体の装飾用凹部の位置に窓部を形成して内部が視認できるようにする必要がある。また、挟持体の装飾用凹部は、その深さを深く形成すれば、厚みのあるシールや、複数のシールを重ねて使用することができるものとなる。また、挟持片の前方内面に複数の突起部を前後方向に等間隔で設けることで、消しゴムの外面に複数の陥没部を等間隔に形成することができ、ケースからの突出量が少なくなった消しゴムを再び挟持体で挟持させる際に、陥没部を目印にして突出量が調整できるものとなる。突起部の形状は一般的な山形状以外にも、丸形状や三角形状あるいはハート形状や星形状など装飾性を有する形態とすることで、突起部により形成される陥没部の形状にも装飾性が得られる。尚、微細な凹凸部は、シボ加工や梨地加工で形成したり、あるいは装飾用凹部に装飾用シールを貼った状態でシールの表面がケース本体の内面に当接しない程度の高さとなる複数の小突起を設けて形成してもよい。
【発明の効果】
【０００７】
本発明のケース付消しゴムは、前述したような構造なので、装飾性を得ることができると共に、挟持体の当接縁部がケース本体の内面に当接する構成なので、挟持体をケース本体から着脱する際に、挟持体に貼り付けた装飾用シールが擦れて剥がれてしまうことを防止し、また装飾用シールがケース本体にて覆われているため、装飾用シールが汚れて見栄えを悪くしてしまうことを防止できる。さらに挟持体の挟持片の前方内面に複数の突起部を前後方向に等間隔で設けることで、消しゴムの外面に等間隔の陥没部を形成することが可能となり、陥没部を利用して、消しゴムの突出量を調整できるようになり、また突起部を装飾性を有する形態に形成することで、陥没部の形状にも装飾性を与えることができる。またさらに、挟持体に設けた装飾用凹部の表面に微細な凹凸部を設けることにより、装飾用凹部に貼り付けた装飾用シールを糊残りなく剥がし易くなり、一度貼って剥がした装飾用シールも再度貼り付けることが可能となることから、装飾用凹部に装飾用シールを微調整しながら貼り付けることができるものとなる。
【図面の簡単な説明】
【０００８】
【図１】図１は、本実施例のケース付消しゴムの斜視図である。
【図２】図２は、本実施例のケース付消しゴムの平面図である。
【図３】図３は、図２の縦断面図である。
【図４】図４は、ケース付消しゴムを組立てる状態を示す図である。
【図５】図５は、挟持体に装飾用シールを貼り付ける状態を示す図である。
【図６】図６は、挟持体に装飾用シールを貼り付けた状態を示す図である。
【図７】図７は、消しゴムを挟持し直す際の要部を示す平面図である。
【図８】図８は、図７の縦断面図である。
【図９】図９は、他の形態における挟持体の斜視図である。
【図１０】図１０は、図９の挟持体を用いたケース付消しゴムにおいて、消しゴムを挟持し直す際の要部を示す平面図である。
【図１１】図１１は、図１０の縦断面図である。
【発明を実施するための形態】
【０００９】
以下、図面を参照して本発明におけるケース付消しゴムの実施例について説明を行う。尚、説明を分かり易くするために、図面中の同様の部材、同様の部分については同じ番号を付してある。本実施例の説明においてはケース本体の開口部側を前方と表現し、反対側を後方と表現する。
【００１０】
図１は本実施例のケース付消しゴムの斜視図、図２は平面図、図３は図２の縦断面図である。図４はケース付消しゴムを組立てる状態を示す図である。本実施例のケース付消しゴム１は、透明樹脂で形成したケース本体２の内部に挟持体３を装着してケース４を形成し、ケース４に消しゴム５を装着し、ケース本体２を透過して挟持体３に貼り付けた装飾用シール６ａ，６ｂが視認できる構造としてある。
【００１１】
ケース本体２は前方に開口部２ａを有する矩形形状であり、挟持体３は二つの挟持片３１の後方を連接部３２にて連接したコの字形状であり、挟持体３の角部に薄肉部３３を設けて挟持片３１が連接部３２に対して回動できるようにしてある。また、挟持片３１の前方外面には膨出部３４を形成して、ケース本体２に形成した切欠部２ｂに嵌めている。消しゴム５は、挟持体３に形成した二つの挟持片３１で挟持してあり、挟持片３１前方内面に前後方向に等間隔で形成した６つの山形状の突起部３１ａ，３１ｂ，３１ｃ，３１ｄ，３１ｅ，３１ｆに圧接され、ケース４に対して前後動しない構造になっている（図３参照）。
【００１２】
図５は挟持体に装飾用シールを貼り付ける状態で、二つの挟持片３１と連接部２とが一直線になるよう薄肉部３３で挟持体３を開いて装飾用シール６ａ，６ｂの貼り付けを行っている。本実施例の挟持片３１の外側面には、ケース本体２の内面に当接させる当接縁部３１１を突設させており、当接縁部３１１の内側に、四角く凹ませた装飾用凹部３１２を形成して、装飾用シール６ａ，６ｂを貼れるようにしてある。図示はしないが装飾用凹部３１ｂの表面にはシボ加工を施してあり、装飾用シール６ａ，６ｂを糊残りなく剥がし易いようにしてある。図６は、挟持体３に装飾用シール６ａ，６ｂを貼り付けた状態を示す図であるが、本実施例では装飾用凹部３１２を、装飾用シール６ａ，６ｂの厚みの２倍以上の深さで形成してあり、図３に示すように、ケース本体２に挟持体３を挿着した状態で、装飾用シール６ａ，６ｂの表面がケース本体２の内面に接することなく、したがってケース本体２から挟持体３を着脱する際に、装飾用シール６ａ，６ｂが擦れて剥がれてしまうことを防止でき、また既に貼られたシールの上に、もう一枚同じ厚さのシールを貼り付けることも可能である。
【００１３】
次に、使用して消耗した消しゴムを挟持し直す際について、図７と図８を用いて説明を行う。図７，図８に示すように、ケース本体２から挟持体３を引き出すことで、消しゴム５に対する挟持体３の挟持力を開放して、消しゴム５を前方へずらすことができる。図８に示すように、消しゴム５の外面には、消しゴム５を挟持していた挟持片３１の突起部に対応する陥没部３１ａ’，３１ｂ’，３１ｃ’，３１ｄ’，３１ｅ’，３１ｆ’が形成され、本実施例では、挟持片３１の突起部３１ａ，３１ｂ，３１ｃ，３１ｄ，３１ｅ，３１ｆを前後方向に２ｍｍ間隔で形成していることから、図８に示すように、消しゴム５の陥没部３１ｄ’の位置に挟持片３１の突起部３１ａを合わせることで、ケース４から消しゴム５を正確に６ｍｍ繰り出すことが可能となる。
【００１４】
図９は他の形態における挟持体の斜視図で、図１０は図９の挟持体を用いたケース付消しゴムにおいて、消しゴムを挟持し直す際の要部を示す平面図であり、図１１は図１０の縦断面図である。図９で示すように、他の形態における挟持体３の挟持片３１には、丸形状の突起部３１ｇ、三角形状の突起部３１ｈ、四角形状の突起部３１ｉを３個ずつ横に並べて形成してある。他の点は先の実施例と同様であるため説明を省略する。図１０，図１１に示すように、消しゴム５を前方へずらした際には、消しゴム５の外面には、消しゴム５を挟持していた挟持片３１の丸形状の突起部３１ｇに対応した丸形状の陥没部３１ｇ’、三角形状の突起部３１ｈに対応した三角形状の陥没部３１ｈ’、四角形状の突起部３１ｉに対応する四角形状の陥没部３１ｉ’が模様として形成される（図１１参照）。本実施例では、挟持片３１の突起部３１ｇ、三角形状の突起部３１ｈ、四角形状の突起部３１ｉを前後方向に３ｍｍ間隔で形成していることから、図１１に示すように、消しゴム５の３１ｉ’の位置に挟持片３１の突起部３１ｇを合わせることで、ケース４から消しゴム５を正確に６ｍｍ繰り出すことが可能となる。
【産業上の利用可能性】
【００１５】
本発明のケース付消しゴムは、可愛らしい模様や絵などの装飾用シールと組み合わせることで子供に好まれるファンシーグッズとして適したものとなり、また会社名やマークなどの装飾用シールと組み合わせることでノベルティグッズとして適したものとなる。
【符号の説明】
【００１６】
１…ケース付消しゴム、
２…ケース本体、２ａ…開口部、２ｂ…切欠部、
３…挟持体、
３１…挟持片、３１１…当接縁部、３１２…装飾用凹部、
３１ａ，３１ｂ，３１ｃ，３１ｄ，３１ｅ，３１ｆ…山形形状の突起部、
３２…連接部、３３…薄肉部、３４…膨出部、
４…ケース、
５…消しゴム、６ａ，６ｂ…装飾用シール、
３１ａ’，３１ｂ’，３１ｃ’，３１ｄ’，３１ｅ’，３１ｆ’…陥没部、
３１ｇ…丸形状の突起部、３１ｈ…三角形状の突起部、
３１ｉ…四角形状の突起部、
３１ｇ’…丸形状の陥没部、３１ｈ’…三角形状の陥没部、
３１ｉ’…四角形状の陥没部。
【図１】
2013095089.tif 000003
【図２】
2013095089.tif 000004
【図３】
2013095089.tif 000005
【図４】
2013095089.tif 000006
【図５】
2013095089.tif 000007
【図６】
2013095089.tif 000008
【図７】
2013095089.tif 000009
【図８】
2013095089.tif 000010
【図９】
2013095089.tif 000011
【図１０】
2013095089.tif 000012
【図１１】
2013095089.tif 000013